(57)【特許請求の範囲】
【請求項１】
操作対象機器の外観図を表示する表示装置と、該表示装置の画面上に表示されて前記操作対象機器の動作モードを設定する複数の操作入力部と、該操作入力部のうち、操作者の指が触れたものを検出する検出装置と、該検出装置からの信号に基づいて、前記表示装置の画面表示を切り換える表示制御装置とを備え、該表示制御装置は、前記操作入力部が操作された際、前記表示装置の画面に表示された前記操作対象機器の外観図のうち、操作された操作入力部と該当する箇所のみを残して消去し、残された外観図の周りに設定された動作モードと関連する複数の操作入力部を表示させる一方、該操作入力部が操作されると、操作された操作入力部と対応するアイコンを、前記残された外観図の該当箇所に表示させることを特徴とする表示入力操作装置。
【請求項２】
請求項１記載の表示入力操作装置において、前記アイコンは、画面表示が切り替わっても、表示状態を維持していることを特徴とする表示入力操作装置。
【請求項３】
請求項１または請求項２記載の表示入力操作装置において、前記表示制御装置は、アイコン同士の間隔を変更可能とすることを特徴とする表示入力操作装置。
【請求項４】
請求項１ないし請求項３記載の表示入力操作装置において、前記表示制御手段は、アイコンの大きさを変更可能とすることを特徴とする表示入力操作装置。
【請求項５】
請求項１ないし請求項４記載の表示入力操作装置において、前記表示制御装置は、表示されているアイコンと、そのアイコンの示す操作指示内容を前記表示装置に一覧表示させることを特徴とする表示入力操作装置。
【発明の詳細な説明】
【０００１】
【発明の属する技術分野】
本発明は、各種機器の動作に関する指示を操作者が設定するために設けられた表示入力操作装置に関する。
【０００２】
【従来の技術】
従来より画像形成装置、例えば、デジタル複写機においては、次のような機能を有するシステムが提案されるようになっている。すなわち、スキャナから入力された原稿の画像に対して、多彩な画像処理機能の中から選択された処理を行って、プリンタ部から処理後の画像を出力したり、また出力された記録物に対して、多彩な後処理を施して編集物として提供することができる機能である。
このようなデジタル複写機の操作パネルは、機能が多彩なことから、操作パネル上に配列されたキーの数が多く、複雑なものとなってしまい、操作性の面から見ると、分かり易いものとはいえない状態である。
【０００３】
また、最近のデジタル複写機においては、多くのキーの中でも使用頻度の少ないキーを覆ってしまったり、キーを兼用したりしている。しかし、それでもまだ不十分であって、最近よく用いられるものが、液晶表示部と透明タッチパネルの組み合わせによる表示入力操作装置である。例えば、特開平６−３５２８２号公報にあるようなものである。ここに記載されている実施例をもとに、従来のタッチパネルを備えた複写機における従来技術を簡単に説明する。
【０００４】
ＬＣＤ画面（液晶表示画面）上に複写機の状態、複写動作に関する操作者側からの指示、および操作者に対する複写機側からのメッセージなど、多くの情報が表示される。そして、これらの情報に基づいて操作者は、複写機に対して、所望する動作指示を行うようになっている。操作者は、ＬＣＤ画面の上に表示された選択指示ボタン表示の中から、所望する動作に関する指示を行うために、ＬＣＤ画面上を軽く触れるだけでよい。このため、このＬＣＤ画面上には、タッチパネルが配置されており、ＬＣＤ画面に表示されている選択指示ボタン表示の内容が、複写機側に入力される構成となっている。
【０００５】
また、このＬＣＤ画面の表示内容は操作者の指示により、あるいは複写機の動作状態により、次々に変化するようになっている。これは、複写機の状態に適した表示に順次切り換えることで、複写機の現在の状況に関係ない指示ボタン表示を、極力表示させないようにするためである。
例えば、特開平６−３５２８２号公報に記載されている表示画面は、ＬＣＤ画面の限られた表示範囲の中に多くの情報を表示させるために、ＬＣＤ画面の周囲に多くのモード選択ボタン（タッチパネルによる入力）を配置した構成である。このモード選択ボタンの操作により、ＬＣＤ画面の表示をモードに適した内容に切り換える。
【０００６】
このような構成にしていると、初めての人であっても選択したいモードを、ＬＣＤ画面の周囲に配置されたモード選択ボタンの中から選択して、あとは複写機側が対話式に表示を切り換えながら、操作者が所望するモードを選択させることができる。こうして、複写機を利用する人が、多彩な処理能力を備えた複写機であっても、簡単に操作できるようにする。
【０００７】
【発明が解決しようとする課題】
しかし、このような入力装置を備えた複写機であっても、操作性がよくなく、ＬＣＤ画面に表示される表示内容が分かりにくい場合がある。
【０００８】
すなわち、複写機をよく理解している人にとってみれば、目的とするモードを設定するＬＣＤ表示画面に達するまでに、相当の時間と操作を要することとなり、分かり易いと考えて親切丁寧に作成したＬＣＤ表示画面が、逆に不便なものとなってしまう。さらにまた他の問題として、ＬＣＤ表示画面が順次切り換わることで、前のＬＣＤ表示画面において設定した複写モードの内容が、分からなくなるといった大きな問題も発生している。そのために、操作者はＬＣＤの表示画面をもとの画面に戻して確認したりしなければならず、モードの設定に不要な時間を要している。
【０００９】
また、操作部からの指示によりＬＣＤ画面の内容を切り換えるたびに、前の表示画面内容と全く異なった表示内容がＬＣＤ画面に表示される。そのたびに、操作者は、表示内容をすべて見渡してから表示内容を理解して、次の操作を行っている。そのために、メーカ側が分かり易く画面を設定したつもりでも、利用する操作者側に立ってみれば、操作性のよい入力装置となりえないのが現状である。
【００１０】
そこで、本発明は、機器を使いなれていない人であっても、また機器を使いなれた人であっても、理解しやすく、また所望する機器への指示が簡単な操作で行える表示入力操作装置を提供することを目的とするものである。
また、表示画面が操作者の指示により順次切り換わったとしても、操作者が指示したモードがいつでも確認できて、さらに画面が切り替わる毎に操作者の視点を不用意に変化させず、理解しやすい表示入力操作装置を提供することを目的とするものである。
【００１１】
【課題を解決するための手段】
請求項１の発明は、操作対象機器の外観図を表示する表示装置と、該表示装置の画面上に表示されて前記操作対象機器の動作モードを設定する複数の操作入力部と、該操作入力部のうち、操作者の指が触れたものを検出する検出装置と、該検出装置からの信号に基づいて、前記表示装置の画面表示を切り換える表示制御装置とを備え、該表示制御装置は、前記操作入力部が操作された際、前記表示装置の画面に表示された前記操作対象機器の外観図のうち、操作された操作入力部と該当する箇所のみを残して消去し、残された外観図の周りに設定された動作モードと関連する複数の操作入力部を表示させる一方、該操作入力部が操作されると、操作された操作入力部と対応するアイコンを、前記残された外観図の該当箇所に表示させることを特徴とする。
【００１３】
請求項２の発明は、請求項１記載の表示入力操作装置において、前記アイコンは、画面表示が切り替わっても、表示状態を維持していることを特徴とする。
【００１４】
請求項３の発明は、請求項１または請求項２記載の表示入力操作装置において、前記表示制御手段は、アイコン同士の間隔を変更可能とすることを特徴とする。
【００１５】
請求項４の発明は、請求項１ないし請求項３記載の表示入力操作装置において、前記表示制御手段は、アイコンの大きさを変更可能とすることを特徴とする。
【００１６】
請求項５の発明は、請求項１ないし請求項４記載の表示入力操作装置において、前記表示制御手段は、表示されているアイコンと、そのアイコンの示す操作指示内容を前記表示装置に一覧表示させることを特徴とする。
【００２０】
本発明に係る表示入力操作装置においては、操作者は、操作対象の機器構成と照らし合わせて、操作及びモード設定状態を視覚的に捉えることができ、また、自らの設定に対して表示で反応がかえってくるので、設定が確かに受け付けられた事を視覚的に確認できる。そして、画面が次々に遷移しても、表示画面によるアイコンなどを視点移動無しに確認し続ける事ができ、前画面での自分の設定が確かに維持されている事を視覚的に確認できる。また、操作指示の設定と共に表示されたアイコンなので、設定した本人がアイコンの持つ意味を理解しやすい環境となる。よって、設定内容を把握して複写作業が効率よく行えることとなる。
【００２１】
また、基本画面などにおいても、所定の表示領域に設定されているモードに関するアイコンを直接押圧操作することにより、アイコンのもつ意味、あるいは現在設定されているモードの詳細内容を即座に確認できる詳細設定画面へと直接遷移できるので、内容の把握はもちろんのこと、現在設定されているモードの変更などが簡単に行えることとなる。こうして、操作者は、画面の動きの多いタッチパネル方式の操作において不安感を覚える事がなく、容易に機器の操作設定、確認、変更が可能となる。
【００２２】
【発明の実施の形態】
以下、本発明の実施の形態について、図面を参照して説明する。
【００２３】
本実施形態は、例えば、複写モード、プリンターモード、ファックスモード等を有するデジタル画像形成装置である。図１は、操作パネルを備えたデジタル画像形成装置の全体構成を示す断面図である。この画像形成装置は、デジタル複写機１０であり、該デジタル複写機１０は大きく分けて、スキャナー部１１と、レーザ記録部１２から構成されている。
【００２４】
スキャナー部１１は、透明ガラスからなる原稿載置台１５、原稿載置台１５上へ自動的に原稿を供給搬送するための両面対応自動原稿送り装置（ＲＡＤＦ）１６、及び原稿載置台１５上に載置された原稿の画像を走査して読み取るための原稿画像読み取りユニット、すなわちスキャナーユニット２０から構成されている。このスキャナー部１１にて読み取られた原稿画像は、画像データとして後述する画像データ入力部へと送られ、画像データに対して所定の画像処理が施される。
【００２５】
上記ＲＡＤＦ１６には、備えられた図示しない原稿トレイ上に複数枚の原稿を一度にセットしておき、セットされた原稿を１枚ずつ自動的にスキャナーユニット２０の原稿載置台１５上へ給送する装置である。またＲＡＤＦ１６は、オペレーターの選択に応じて原稿の片面または両面をスキャナーユニット２０に読み取らせるように、片面原稿のための搬送経路、両面原稿のための搬送経路、搬送経路切り換え手段、各部を通過する原稿の状態を把握し管理するセンター群、および制御部などから構成されている。このＲＡＤＦ１６については、従来から多くの出願、商品化がなされているので、これ以上の説明は省略する。
【００２６】
原稿載置台１５上の原稿の画像を読み取るためのスキャナー部１１を構成するスキャナーユニット２０は、原稿面上を露光するランプリフレクターアセンブリ２１と、原稿からの反射光像を光電変換素子（ＣＣＤ２４）に導くための原稿からの反射光を反射する第１の反射ミラー２２ａを搭載してなる第１の走査ユニット２０ａ、また第１の反射ミラー２２ａからの反射光像をＣＣＤ２４に導くための第２及び第３反射ミラー２２ｂ，２２ｃを搭載してなる第２の走査ユニット２０ｂ、原稿からの反射光像を上述した各反射ミラーを介して電気的画像信号に変換するＣＣＤ２４上に結像させるための光学レンズ２３、および原稿からの反射光像を電気的画像信号に変換する上述したＣＣＤ２４から構成される。
【００２７】
スキャナー部１１は、上記ＲＡＤＦ１６とスキャナーユニット２０の関連した動作により、原稿載置台１５上に読み取るべき原稿を順次載置させながら、原稿載置台１５の下面に沿ってスキャナーユニット２０を移動させて、原稿画像を読み取るように構成されている。特に第１走査ユニット２０ａは、原稿載置台１５に沿って左から右へと一定速度Ｖで走行され、また第２走査ユニット２０ｂは、その速度Ｖに対して、Ｖ／２の速度で同一方向に平行に走査制御される。これにより、原稿載置台１５上に載置された原稿の画像を、１ライン毎に順次ＣＣＤ２４へと結像させて、画像を読み取ることとなる。
【００２８】
原稿画像をスキャナーユニット２０にて読み取ることにより得られた画像データは、後述する画像処理部へ送られ、各種処理が施される。その後、画像処理部のメモリに一旦記憶され、出力指示に応じてメモリ内の画像を読み出してレーザープリンター部１２に転送して、記録シート上に画像を形成させる。このレーザープリンター部１２は、画像を形成させるための記録材であるシートの搬送系、レーザー書き込みユニット２６、および画像を形成するための電子写真プロセス部２８を備えている。
【００２９】
レーザー書き込みユニット２６は、上述したスキャナーユニット２０にて読み取った後のメモリから読み出した画像データ、または外部の装置から転送されてきた画像データに応じてレーザー光を出射する半導体レーザー光源、レーザー光を等角速度偏向するポリゴンミラー、等角速度で偏向されたレーザー光が電子写真プロセス部２８を構成する感光体ドラム上で等角速度で偏向されるように補正するｆ−θレンズなどを有している。
上記電子写真プロセス部２８は、周知である感光体ドラムの周囲に帯電器、現像器、転写器、剥離器、クリーニング器、除電器を備えている。
【００３０】
一方、シートの搬送系は、上述した画像形成を行う電子写真プロセス部２８の特に転写器が配置された転写位置へとシートＰを搬送する搬送部、該搬送部へとシートＰを送り込むためのカセット給紙装置３１，３２または、必要なサイズのシートを適宜給紙するための手差し給紙装置３４、転写後のシートＰに形成された画像、特にトナー像を定着するための定着器２９、定着後のシートＰの裏面に再度画像を形成するためのシートＰを再供給するための再供給経路３３とを備えている。
また、定着器２９の下流側には、画像が記録されたシートＰを受け取り、このシートＰに対して所定の処理を施す後処理装置１４が配置されている。
【００３１】
レーザ書き込みユニット２６及び電子写真プロセス部２８において、画像メモリから読み出された画像データは、レーザ書き込みユニット２６によってレーザ光線を走査させることにより、電子写真プロセス部２８である感光体ドラムの表面上に静電潜像として形成される。トナーにより可視像化されたトナー像は、多段給紙ユニットのいずれかの給紙部から搬送された用紙の面上に、静電転写され定着される。
このようにして画像が形成された用紙は、定着器２９から排紙ローラ３７を経由して後処理装置１４内へと搬送される。
【００３２】
（画像処理部の回路説明）
次にこのデジタル複写機１０における、読み取られた原稿画像情報に画像処理を行う画像処理部の構成及び機能について説明する。
【００３３】
図２は、図１のデジタル複写機１０に含まれている画像処理部のブロック図である。この画像処理部は、画像データ入力部４０、画像処理部４１、画像データ出力部４２、ＲＡＭ（ランダムアクセスメモリ）やハードディスク等から構成されるメモリ４３及び中央処理装置（ＣＰＵ）４４を備えている。
【００３４】
画像データ入力部４０は、ＣＣＤ部４０ａ、ヒストグラム処理部４０ｂ及び誤差拡散処理部４０ｃを含んでいる。画像データ入力部４０は、ＣＣＤ２４から読み込まれた原稿の画像データを２値化変換して、２値のデジタル量としてヒストグラムをとりながら、誤差拡散法により画像データを処理して、メモリ４３に一旦記憶するように構成されている。即ち、ＣＣＤ部４０ａでは、画像データの各画素濃度に応じたアナログ電気信号がＡ／Ｄ変換されたのち、ＭＴＦ補正、白黒補正またはガンマ補正が行われ、２５６階調（８ビット）のデジタル信号としてヒストグラム処理部４０ｂへ出力される。
【００３５】
ヒストグラム処理部４０ｂでは、ＣＣＤ部４０ａから出力されたデジタル信号が２５６階調の画素濃度別に加算され、濃度情報（ヒストグラムデータ）が得られるとともに、必要に応じて、得られたヒストグラムデータはＣＰＵ４４へ送られ、又画素データとして誤差拡散処理部４０ｃへ送られる。
【００３６】
誤差拡散処理部４０ｃでは、疑似中間処理の一種である誤差拡散法、すなわち、２値化の誤差を隣接画素の２値化判定に反映させる方法により、ＣＣＤ部４０ａから出力された８ビット／画素のデジタル信号が１ビット（２値化）に変換され、原稿における局所領域濃度を忠実に再現するための再配分演算が行われる。
【００３７】
画像処理部４１は、多値化処理部４１ａ，４１ｂ、合成処理部４１ｃ、濃度変換処理部４１ｄ、変倍処理部４１ｅ、画像プロセス部４１ｆ、誤差拡散処理部４１ｇ並びに圧縮処理部４１ｈを含んでいる。
【００３８】
画像処理部４１は、入力された画像データをオペレータが希望する画像データに最終的に変換する処理部であり、メモリ４３に最終的に変換された出力画像データとして記憶されるまで、この処理部にて処理するように構成されている。但し、画像処理部４１に含まれている上述の各処理部は、必要に応じて機能するものであり、機能しない場合もある。即ち、多値化処理部４１ａ，４１ｂでは、誤差拡散処理部４０ｃで２値化されたデータが再度２５６階調に変換される。
【００３９】
合成処理部４１ｃでは、画素毎の論理演算、即ち、論理和、論理積又は排他的論理和の演算が選択的に行われる。この演算の対象となるデータは、メモリ４３に記憶されている画素データ及びパターンジェネレータ（ＰＧ）からのビットデータである。濃度変換処理部４１ｄでは、２５６階調のデータ信号に対して、所定の階調変換テーブルに基づき、入力濃度に対する出力濃度の関係が任意に設定される。
【００４０】
変倍処理部４１ｅでは、指示された変倍率に応じて、入力される既知データにより補間処理を行うことによって、変倍後の対象画素に対する画素データ（濃度値）が求められ、副走査が変倍された後に主走査が変倍処理される。画素プロセス部４１ｆでは、入力された画素データに対して様々な画像処理が行われ、又、特徴抽出等データ列に対する情報収集が行われ得る。誤差拡散処理部４１ｇでは、画像データ入力部４０の誤差拡散処理部４０ｃと同様な処理が行われる。圧縮処理部４１ｈでは、ランレングスという符号化により２値データが圧縮される。又、画像データの圧縮に関しては、最終的な出力画像データが完成した時点で最後の処理ループにおいて圧縮が機能する。
【００４１】
画像データ出力部４２は、復元部４２ａ、多値化処理部４２ｂ、誤差拡散処理部４２ｃ、及びレーザ出力部４２ｄを含んでいる。画像データ出力部４２は、圧縮状態でメモリ４３に記憶されている画像データを復元し、もとの２５６階調に再度変換し、２値データより滑らかな中間調表現となる４値データの誤差拡散を行い、レーザ出力部４２ｄへデータを転送するように構成されている。
【００４２】
即ち、復元部４２ａでは、圧縮処理部４１ｈによって圧縮された画像データが復元される。多値化処理部４２ｂでは、画像処理部４１の多値化処理部４１ａ，４１ｂと同様な処理が行われる。誤差拡散処理部４２ｃでは、画像データ入力部４０の誤差拡散処理部４０ｃと同様な処理が行われる。レーザ出力部４２ｄでは、図に示していないシーケンスコントロールからの制御信号に基づき、デジタル画素データがレーザのオン／オフ信号に変換され、レーザ書き込みユニット２６における半導体レーザがオン／オフ状態となり、感光体ドラム上に静電潜像が書き込まれる。
【００４３】
尚、画像データ入力部４０および画像データ出力部４２において扱われるデータは、メモリ４３の容量の削減のため、基本的には２値データの形でメモリ４３に記憶されているが、画像データの劣化を考慮して、４値のデータの形で処理することも可能である。
【００４４】
（デジタル複写機全体の制御構成の説明）
図３は、デジタル複写機１０の装置全体の各部を中央処理装置（ＣＰＵ）４４により動作管理している状態を示す図である。ＣＣＤ２４、画像データ入力部４０、画像処理部４１、画像データ出力部４２、画像メモリ４３、及び中央処理装置（ＣＰＵ）４４は、図３と重複するので説明は省略する。
【００４５】
中央処理装置４４は、ＲＡＤＦ３６、スキャナー部３１、レーザープリンター部３２などデジタル複写機１０を構成する各駆動機構部をシーケンス制御により管理すると共に、各部へ制御信号を出力している。さらに中央処理装置４４には、操作パネル４５が相互通信可能な状態で接続されており、操作者が設定入力した複写モードに応じて、制御信号を中央処理装置４４に転送して、デジタル複写機１０をモードに応じて動作させるようになっている。
【００４６】
また、デジタル複写機の動作状態を示す制御信号を、中央処理装置４４から操作パネル４５へと転送する。操作パネル４５側では、この制御信号により装置が現在どのような状態にあるのか、操作者に対し、表示部などで動作状態を表示するようになっている。
【００４７】
４６はソーターコントロールユニットであり、デジタル複写機１０により出力される複写物を仕分けたりする後処理装置の動作を管理する制御ユニットである。４７は画像情報、および画像制御信号など他のデジタル画像機器との情報通信を可能にするために設けられた画像データ通信ユニットである。
【００４８】
図４は、デジタル複写機１０における操作パネルを表したものである。
この操作パネルの中央部分には、図１にもあるタッチパネル液晶表示装置５６が配置されていて、その周囲にも各種モード設定キー群が配置されている。このタッチパネル液晶表示装置５６の画面上には、常時各種モードを選択するための基本スタート画面が表示されている。必要に応じて所望するモードの指示に関するエリアを指で直接押圧操作すると、各種モードが選択指示できるように液晶画面が順次遷移する。その表示された各種モードの中から、操作者が所望する機能が表示されている領域を、指で触れることにより編集機能が設定される。
【００４９】
上記操作パネル上に配置された各種設定キー群について簡単に説明する。まず、液晶表示装置５６の略中央部にはデジタル複写機１０の外観図が表示されている。さらに外観図の下方には、コピー濃度を設定するコピー濃度設定キー５７、用紙サイズを設定する用紙サイズ設定キー５８、複写倍率を設定する倍率設定キー５９が設けられている。
【００５０】
６０は原稿画像を編集する編集モード設定画面に液晶表示画面を遷移させる特別機能モードボタン、６１は両面複写モードに移行させて処理モードを設定するための設定画面に液晶表示画面を遷移させる両面複写モードキー、６２はソータ・ステープルなどのアウトプットモードの指示画面に液晶表示画面を遷移させるためのキー、６３は現在設定されているモードの内容を確認するための設定確認キーである。
【００５１】
さらに６４は操作方法などを画面に表示させるための操作ガイドキー、６５は複写枚数などの数値情報を入力するためのテンキー、６６は現在処理中の複写モードに新たな複写モードを割り込ませて処理させるための割り込みキー、６７はテンキーなどにより入力されている条件をクリアするクリアキー、６８はデジタル複写機の状態をすべてクリアして標準の状態に復帰させるためのオールクリアキー、６９はこれらキーにより設定されたモードにおいて処理の開始を指示するためのスタートキーである。なお、操作パネル４５の左側に配置された３つのキー群は、上から順にファックスモード７０、プリンタモード７１、コピーモード７２からなるモード切り換え手段である。
【００５２】
今回提示した操作パネル及びその操作パネル上に配置される各種キーは、あくまでも１実施例であり、デジタル複写機に搭載される各種機能により、操作パネル上に設けられるキーは異なってくることはいうまでもない。
【００５３】
（タッチパネルを備えた入力装置の一実施形態）
図５は、図４において説明したデジタル複写機１０の操作パネル４５の液晶表示装置５６を詳しくあらわしたものである。
液晶表示装置５６は、ドットマトリックスの液晶表示部１００と、その表面を覆うように積層配置されたタッチパネル１０１とから構成される。また、操作者がタッチした位置を検出する手段であるタッチパネル１０１は、この液晶表示部１００の面積よりも大きいものが採用されている。そして、液晶表示部１００の周囲に印刷された複数のボタン群をも覆い、液晶表示部１００に表示されたキー以外にも、この印刷されたボタンを操作指示することも可能である。
【００５４】
以上の構成からなる液晶表示部１００の略中央部には、操作パネル４５を備えたデジタル複写機１０の全体外観図１０２が表示されている。簡単に外観図１０２を説明すると、全体外観図１０２の中央上側部分には画像形成にかかわる本体部分１０３が表示され、全体外観図１０２の左側部分には、デジタル複写機１０から出力された用紙に対してステープルなどの処理を施す後処理装置部分１０４が表示されている。また、全体外観図１０２を構成する右側及び中央下側部分には、デジタル複写機１０に用紙を供給する給紙装置部分１０５が表示されている。
【００５５】
以下に、液晶表示部１００に表示された画面を確認しながらタッチパネル１０１を操作した際の画面の移り変わりを説明する。
【００５６】
図６は、ＣＰＵ４４が液晶表示部１００に表示させる動作の概略を示すフローチャートである。操作者が、液晶表示部１００に表示された像にタッチした場合、タッチパネル１０１がタッチした位置を検出して、位置情報をＣＰＵ４４に出力する。この位置情報が入力されると（ステップＳ１）、ＣＰＵ４４は、そのタッチ位置に表示されている像を確定し（ステップＳ２）、その像に対する操作指示の内容を確定する（ステップＳ３）。この指示内容に対応した画面を液晶表示部１００に表示させるよう制御する（ステップＳ４）。画面が操作指示の内容を設定する画面であれば（ステップＳ５）、操作者の設定にしたがって指示内容を再設定する（ステップＳ６）。
【００５７】
次に、具体的な表示入力操作について説明する。
例えば、図５に示す全体外観図１０２の部分外観図１０３，１０４，１０５のいずれかにタッチすると、ＣＰＵ４４は、タッチした外観図に対応したデジタル複写機１０のモードの設定画面に移行させる。図７は、表示部の外観図を操作した場合の画面遷移図である。本体部分１０３にタッチすると、両面コピーモードの設定画面になり（同図（Ａ））、後処理装置部分１０４にタッチすると、アウトプットモードの設定画面になり（同図（Ｂ））、給紙装置部分１０５にタッチすると用紙サイズ選択の設定画面になる（同図（Ｃ））。
【００５８】
以下、ＣＰＵ４４による各モードの画面表示について詳述する。
【００５９】
（両面コピーモード）
例えば、デジタル複写機１０の全体外観図１０２の本体部分１０３が操作されると、図７（Ａ）に移行して、両面コピーモードの設定画面となる。なお、この両面コピーモードの設定画面には、液晶表示部１００の周囲左側に印刷された両面コピーのボタンを操作しても移行する。
【００６０】
以下、図８を用いて液晶表示部１００の画面遷移状態を順を追って説明する。図８では、図７（Ａ）に示した両面コピーモードの設定画面から順に説明して行く。
【００６１】
図８（Ａ）に示すように（図７（Ａ）と同じ画面）、両面コピーモードの設定画面に移行した液晶表示部１００の略中央には、操作されたデジタル複写機１０の全体外観図１０２のうち本体部分１０３のみがそのまま残り、その他の領域には両面コピーのモードに関する各種設定キーが変わって表示される。つまり、給紙装置部分１０４と後処理装置部分１０５の表示を消して、本体部分１０３の近傍の第１表示領域に各種設定キーを表示する。
【００６２】
なお、上記の説明では、液晶表示部１００の略中央部に本体部分１０３が表示位置、表示状態を保ったまま、第１表示領域、すなわち本体部分１０３の周囲に、モードを細かく設定するキーを表示するようにしている。しかし、この配置に限定することなく、本体部分１０３が多少異なる位置に移動して表示され、残りの表示領域にモードを細かく設定するキーが表示されるようにすることも可能である。この時は、できるだけ操作者の混乱を招かないように、必要以上に本体部分１０３の表示位置が変位しないようにし、また、同じ表示形態を保つことが望ましい。
【００６３】
ここで、簡単に第１表示領域に表示されたキーを簡単に説明すると、本体部分１０３の左側に配置されたキーは、片面の原稿から片面のコピーを作成するモードを指示するキー１０６であり、両面コピーモードが指示される前の通常の状態である。そして、本体部分１０３の下側左から、偶数枚の片面原稿から両面コピーを作成するモードキー１０７、奇数枚の片面原稿から両面コピーを作成するモードキー１０８、両面原稿から両面コピーを作成するモードキー１０９、両面原稿から両面コピーを作成するモードキー１１０が、それぞれ配置されている。そして、各キー内には、キーの操作指示の内容を示すアイコンを表示する。
【００６４】
なお、片面の原稿を処理する場合に、原稿の枚数が奇数であるのか偶数であるのかが不明であることがある。この場合、本体部分１０３の右側に配置された原稿カウントキー１１１は、自動原稿送り装置にセットされた原稿束の枚数を計数するよう指示する。
【００６５】
以上のキーの中（片面→片面モードキー１０６、および原稿カウントキー１１１は除く）から、両面のモードが選択されると、選ばれた両面モードを表すアイコン１１２が、デジタル複写機１０の外観図本体部分１０３内に重ねて表示される（図８（Ｂ））。この外観図内の領域を第２表示領域とする。第２表示領域に表示されるアイコン１１２も、選択したモードの内容を細かく設定するキー１０７に表示されているアイコン１１２そのものが重ねられるようにしておくことで、操作者の混乱を防止することができる。
【００６６】
上記説明では、第１表示領域（液晶表示部１００に表示された本体部分１０３の周囲）に表示された設定キーの中から、所望するモード内容を指示すると、第２表示領域（本体部分１０３の中）に、設定されたモードを表すアイコン１１２が表示される。しかし、液晶表示部１００に重ねられたタッチパネル１０１による操作に限らず、タッチパネル１０１以外の操作パネル上に配置されたボタンの操作により、第２表示領域に、設定されたモードに関するアイコン１１２を重ねて表示することも可能である。そして、両面コピーに関するモードの設定が完了すると、液晶表示部１００に表示されている装置の外観図１０３、および設定されたモードに関するアイコン１１２は、そのままの状態でデジタル複写機１０の全体外観図１０２に表示状態が復帰する（図８（Ｃ））。
【００６７】
こうして、液晶表示部１００に表示されたデジタル複写機１０の外観図１０２の近傍にある第１表示領域に、あるいは外観図１０２に重ねて表示する第２表示領域に、アイコンを表示させることにより、どの部分に対して、どのような操作を行っているかを、操作者が視覚的に捉らえることができる。従って、複数のモードを組み合わせて設定する場合などにおいて、複写システムとしての動作環境が理解しやすくなる。
【００６８】
なお、アイコン１１２と共にデジタル複写機１０の全体外観図１０２が復帰すると述べているが、設定されたモードによっては、アイコン表示するまでもなく、デジタル複写機１０の全体外観図１０２に表示を復帰させることも可能である。また、他の実施例として、両面コピーに関するモードの設定が完了して、デジタル複写機１０の全体外観図１０２が表示される場合に、既に表示されている本体部分１０３はそのままで、残りの隠れていた残りの部分外観図１０４，１０５が再度表示され、基本的には同一の場所に、デジタル複写機１０の全体外観図１０２として再び表示されることが最も望ましい。しかし、違和感を感じない程度に多少表示される位置が変位しても構わない。
【００６９】
（アウトプットモード）
次に、全体外観図１０２の左側に現されている後処理装置部分１０４が操作されると、図７（Ｂ）に移行して、アウトプットモードの設定画面となる。なお、このアウトプットモードの設定画面には、液晶表示部１００の周囲左側に印刷されたソーター／ステープルのボタンを操作しても移行する。
【００７０】
以下、図９を用いて液晶表示部１００の画面遷移状態を順に追って説明する。図９では、図７（Ｂ）に示したアウトプットモードの設定画面から順に説明して行く。
【００７１】
図９（Ａ）に示すように（図７（Ｂ）と同じ画面）、アウトプットモードの設定画面に移行した液晶表示部１００の略左側には、操作された後処理装置部分１０４がそのまま残り、その他の領域にアウトプットモードに関する各種設定キーが変わって表示される。なお、上記の説明では液晶表示部１００の略左側には後処理装置部分１０４が表示位置、表示状態を保ったまま、第１表示領域（後処理装置部分１０４の近傍の表示領域）に、すなわち、後処理装置部分１０４の右側に、モードを細かく設定するキーを表示するように設定している。しかし、この配置に限らず、後処理装置部分１０４が多少異なる位置に移動して表示され、残りの表示領域にモードを細かく設定するキーが表示されるようにすることも可能である。この時は、できるだけ操作者の混乱を招かないように、必要以上に後処理装置部分１０４の表示位置が変位しないように、また、同じ表示形態を保つことが望ましい。
【００７２】
ここで、簡単に他の領域に表示されたキーを簡単に説明すると、後処理装置部分１０４の右側に配置されたキーは、左側から順番にデジタル複写機１０から出力される用紙を順次仕分けるソートモードキー１１３、排出された複数の用紙を束ねるステープルモードキー１１４、デジタル複写機１０から出力される用紙を原稿群毎にずらした形で仕分けるオフセットモードキー１１５である。各キー内には、アイコン１１６，１１７，１１８が表示されている。
【００７３】
以上のキーの中からアウトプットのモードが選択されると選ばれたアウトプットモードを表すアイコン１１６，１１７，１１８が、第２表示領域（外観図の後処理装置部分１０４内）に重ねて表示される（図９（Ｂ）もしくは図９（Ｃ））。この表示されるアイコン１１６，１１７，１１８は、選択したモードの内容設定キー１１３，１１４，１１５に表示されているアイコン１１６，１１７，１１８と同じものが重ねられるようにしておくことで、操作者の混乱を防止することができる。
【００７４】
なお、上記説明では、後処理装置部分１０４の右側に表示された設定キーの中から所望するモード内容を指示すると、第２表示領域に、設定されたモードを表すアイコン１１６，１１７，１１８が表示されるように説明した。しかし、液晶表示部に重ねられたタッチパネル１０１による操作に限らず、タッチパネル１０１以外の操作パネル上に配置されたボタンの操作により、液晶表示部１００に表示された後処理装置部分１０４内に、設定されたモードに関するアイコン１１６，１１７，１１８を重ねて表示することも可能である。
【００７５】
さらに、第２表示領域にアイコン１１６，１１７，１１８を表示する場合、後処理装置部分１０４の中でも、その装置により指示されたモードを実行する場所、あるいはモードが実行された後の結果物が得られる場所に、アイコン１１６，１１７，１１８を表示させる。こうして、操作者に実行されるモード、および結果物が得られる場所を正確に伝える事が可能となる。
【００７６】
さらにまた、後処理装置部分１０４におけるモードが複数設定された場合、例えば、図９（Ｂ）と図９（Ｃ）にあるソートモードとステープルモードが同時に設定された場合、図９（Ｄ）にあるように複数の設定されたモードを１つのアイコン１１９で表して、後処理装置部分１０４の適切な位置に重ねて表示させることもできる。そして、アウトプットに関するモードの設定が完了すると、液晶表示部１００に表示されている後処理装置部分１０４、およびアイコン１１６，１１７，１１８は、そのままの状態で、デジタル複写機１０全体の外観図１０２に表示状態が復帰する（図１０）。
【００７７】
なお、アイコン１１６，１１７，１１８と共にデジタル複写機１０の全体外観図１０２が復帰すると述べているが、設定されたモードによっては、アイコン表示するまでもなく、デジタル複写機１０の全体外観図１０２に表示を復帰させることも可能である。
【００７８】
また、図１１にあるように、後処理装置部分１０４に設定された複数のモードのアイコン１１６，１１７，１１８を重ねて表示する場合、後処理装置部分１０４内にすべてのアイコン１１６，１１７，１１８を表示していくのではなく、前述のように、複数の設定されたアイコン１１６，１１７，１１８の中でも関連するものは、１つのアイコンにまとめて表示することも可能である。つまり、ソートモードとステープルモードとオフセットモードをそれぞれ選択する場合、先に選択されたソートモードをあらわすアイコン１１６とステープルモードをあらわすアイコン１１７が、後処理装置部分１０４の適切な位置に重ねて表示される（図１１（Ｃ））。そして、さらにオフセットモードが設定された段階で、オフセットのアイコン１１８が、後処理装置部分１０４の適切な位置に重ねて表示される。このとき、ソートモードをあらわすアイコン１１６とステープルモードをあらわすアイコン１１７が、１つのアイコン１１９に置き換えられる。すなわち、複数のアイコンの中でも関連するアイコン１１６，１１７を１つのアイコン１１９に置き換えて、残りのアイコン１１８と同時に後処理装置部分１０４の適切な位置に重ねて表示させることができる。
【００７９】
こうして、デジタル複写機１０の外観図１０２の近傍に設けられた第１表示領域、さらには外観図１０２と重なった状態で表示させる第２表示領域とに表示エリアを分割すると共に、それぞれの表示エリアには、お互いに関連のあるアイコン群をかためて表示させる構成としている．そのため、アイコン表示の組み合わせを操作者が確認して、どのようなコピーモードで処理されるものなのか、また、結果物のコピーがどのような形で出来上がるものなのか、容易に確認できる。
【００８０】
（用紙選択モード）
次に、デジタル複写機１０の外観図１０２の左側、および下側に現されている給紙装置部分１０５が操作されると、図７（Ｃ）に移行して給紙装置の選択、すなわち所望するサイズの用紙を給紙装置の複数ある給紙部の中から選択する設定画面となる。なお、この給紙装置の中から所望のサイズを選択する選択画面には、液晶表示部１００の左側中央に表示された用紙選択のキーを操作しても移行する。
【００８１】
以下、図１２を用いて液晶表示部１００の画面遷移状態を順に追って説明する。
待機状態にある操作パネル４５上の液晶表示画面（図１２（Ａ））が上記のように操作されると、用紙選択モードの設定画面（図１２（Ｂ））に移行して、液晶表示部１００の略中央から右側にかけて、デジタル複写機１０の給紙装置に装着されている給紙部の配置状態と同じように給紙部の選択キーが表示される。
【００８２】
そして、この表示されている選択キーの中から、所望するサイズの用紙（例えばＡ３）を収容した給紙部を操作指示して確定すると、画面は図１２（Ｃ）へと切り換わり、選択されたＡ３サイズの用紙を収容した給紙部の表示が反転して給紙可能にある事を伝えている。
【００８３】
この用紙選択モードにおいて、図１２から明らかなように、デジタル複写機１０の全体外観図１０２は、液晶表示部１００の略中央部に表示され、図１２（Ｂ）のように一旦給紙部確定キー群により一部隠れて、また全体外観図１０２が再び表示される画面になっても、基本的に全体外観図１０２の液晶表示部１００における表示位置は同一場所であり、同一の形態で表示される。
【００８４】
設定されたモードに関するアイコンを表示する場合に、アイコンの持つ意味（設定されたモード）に応じて、液晶表示部１００に表示された外観図１０５に対してどのような状態（どの領域）にて表示するかを、ＣＰＵ４４が確定する。そして、画像が記録される用紙に対する処理に関するアイコンは、用紙が処理される機器の外観図の領域（第２表示領域）に直接重ねて表示させる。また、入力画像の処理に関するアイコンは、外観図１０５の近傍（第１表示領域）に表示させる。そのため、デジタル複写機１０を構成する各機器がどのような処理動作を行うモードに設定されているのか、操作者が理解しやすくなる。
【００８５】
（各種画像編集機能についての説明）
本発明におけるデジタル複写機１０は、読み取った原稿画像情報を様々な形態に変換することのできる多彩な画像編集機能を備えている。この多彩な画像編集機能の中から操作者が所望する機能を選択するために、図４の操作パネル４５上には特別機能キー６０が設けられ、このキー６０を操作することで、複数の編集機能を一覧表示させると共に、任意の編集機能を操作者に選択させる画面（図１３）が準備されている。
【００８６】
ここに表示されている各機能について簡単に説明する。
「とじしろ」は、用紙に対してファイリングする時に必要な余白を形成するための機能である。両面記録時のことも考慮して、０〜２０ミリの範囲で１ミリ単位で調整することが可能である。
「枠消し」は、原稿カバーを開放した状態でブック原稿をコピーした場合に、用紙の周辺部分に形成されてしまう影の黒い部分を自動的に消去する機能である。０〜２０ミリの範囲で１ミリ単位で調整することが可能である。
「１セット２コピー」は、ブック原稿を見開きの状態でセットしておき、１回のコピー開始指示で２頁分の原稿面を読み取る機能である。
「表紙挿入」は、原稿をコピーした場合の複写物の最初と最後の頁にカバー用の用紙を挿入するかしないかを選択する機能である。
「ＯＨＰ合い紙」は、ＯＨＰシートにコピーを行う場合に、排紙トレイ上に重ねられるＯＨＰシートとＯＨＰシートが重なって密着しないように、間に用紙を介在させるように用紙の供給を制御するものである。
「センタリング」は、原稿画像を用紙の中央に記録するモードのことである。例えば、Ｂ５サイズの原稿画像をＡ４サイズの用紙に記録する場合は、Ａ４サイズの用紙の中央付近に、Ｂ５サイズの画像が位置するように、位置調整を行うものである。
「マルチショット」は、複数の原稿画像を１枚の記録用紙上に縮小して記録するモードである。用紙サイズと原稿サイズ、原稿枚数などの情報に基づいて変換倍率を求め、縮小した画像をまとめて１枚に編集出力するものである。
「印字編集メニュー」は、原稿画像が記録された用紙の所定位置に日付、ページ数、番号、スタンプ（至急、重要、回覧）などの付加情報を付与する機能を選択する画面に切り換えるものである。「画像編集メニュー」は、表示されている画面上に表示されなかったさらなる編集機能選択キーを表示させるための表示切り換えキーである。
【００８７】
次に、これらの編集機能を用いて原稿画像を編集記録する場合のモード設定方法、およびモードが設定されていることを操作者に伝えるためのアイコン表示方法などについて、一部の編集機能を実際に用いて説明する。なお、説明に用いる表示画面内容、表示内容の遷移、表示画面を見ながらのモード設定方法などは、一実施例であって部分的な変更、表示内容の変更は可能である。
【００８８】
編集操作例として、「１セット２コピー」と「枠消し」モードの組み合わせによるコピーを考えてみる。見開きのブック原稿を原稿ガラス面にセットして、ブック原稿の２頁分の画像を２枚の用紙に分けて出力すると共に、それぞれの用紙に記録される画像の不要な影を自動的に消去する場合について、図１４〜図１６に示す画面の遷移に従って説明する。
【００８９】
まず、図１４において説明する。操作パネル４５に配置された液晶表示部１００に、図１４に示す基本画面（Ａ）が表示されている状態で、この液晶表示部１００の左上側近傍に配置された特別機能キー６０が操作される。すると、液晶表示部１００の表示画面は、特別機能選択画面（Ｂ）へと遷移する。そして、特別機能選択画面（Ｂ）に表示された複数の選択可能な機能の中から、所望する枠消去機能キー１２０を操作して、枠消去モードを選択する。このとき、図示はされないが一時的に枠消去機能キー１２０の部分が白黒反転してから枠消去機能の詳細設定画面（Ｃ）へと遷移する。
【００９０】
ここで、操作者が一時的に枠消去機能キー１２０の部分のタッチパネルを押圧することにより、枠消去機能キー１２０を白黒反転させ、枠消去モードが選択されたことを視覚的に伝えることができる。また、電子音などを表示の白黒反転と共に発生させると、さらに効果的である。
【００９１】
また、枠消去キー１２０が操作されると、液晶表示部１００の表示画面における左上の所定領域に、枠消去機能が選択されたことを表す専用のアイコン１２１が同時に表示される。そして、このアイコンは、枠消去キー１２０の操作と同時に表示されたものであり、さらに選択した枠消去モードに関するアイコンであることが操作者に伝わる。そのため、表示画面の中にアイコンが残っていても、また他の表示画面に遷移したときに残っていても、アイコンの意味を理解しやすくするように考慮している。
【００９２】
さらに、今回選択された枠消去機能には、用紙の周囲を所定の領域幅に渡って影を自動的に消去する枠消去機能と、ブック原稿をコピーした場合に出来るとじ合わせ部分の影を自動的に消去するセンター消去機能と、これら２つの影消去機能を組み合わせた枠＋センター消去機能がある。ここでは、枠消去キー１２０を操作した段階では、枠消去モードが標準の状態で選択されるとする（枠消去モードキー１２２が白黒反転する）。センター消去モード１２３、あるいは枠＋センター消去１２４が最初に選択されるように設定しておくことも可能である。
【００９３】
さらに詳細設定画面（Ｃ）において、キー１２３，１２４の押圧によりモードを切り換えることが可能である。また用紙の周囲に形成される枠画像（影）を自動的に消去するために、消去領域をミリ単位で設定できる入力キーも、表示画面右側に、それぞれの機能毎に設けられている。そして、図番までは付与しないが、アップ・ダウンキーの押圧操作により、１ミリ単位で０から２０ミリの範囲で枠消去領域を調整することが可能となっている。図１５に、詳細設定画面（Ｃ）において、枠消去以外にセンター消去キー１２３、枠＋センター消去キー１２４を操作した場合の詳細設定画面への遷移状態（図１５（Ｃ１）（Ｃ２））をそれぞれ表す。
【００９４】
以上のような詳細設定画面（Ｃ）において、枠消去モードの詳細設定が完了すると、表示画面の略右上領域に配置された画面を遷移させる意味のキー１２５を操作して、図１６に示す特別機能選択画面（Ｄ）へと遷移させる。このとき、枠消去モードが選択されているので、このことを操作者に伝えるために、枠消去キー１２０は白黒反転している。
【００９５】
また、詳細設定画面（Ｃ）において、アイコン１２１は、枠消去モードが選択されていることを伝えるために表示した専用のアイコンである。このアイコン１２１は、詳細設定画面（Ｃ）から特別機能選択画面（Ｄ）に表示画面が遷移しても、表示画面上において表示の状態、位置などが基本的に変化しないようになっている。そして、特別機能選択画面（Ｄ）において、これ以上の所望する特別機能の選択が無い場合は、特別機能選択画面（Ｄ）を閉じて、基本画面へと遷移する指示をキー１２６により入力することで、表示画面は図１６の基本画面（Ｅ）へと遷移する。
なお、この基本画面（Ｅ）においても、先に説明した枠消去モードの選択を表すアイコンの位置は、前画面の時の表示位置と基本的に変化しないようになっている。
【００９６】
さて、詳細設定画面（Ｃ）において画面遷移キー１２５を操作することにより、一旦特別機能選択画面（Ｄ）へと遷移させた後、続けて基本画面へと遷移する指示をキー１２６を操作すると先に説明した。しかし、詳細設定画面（Ｃ）において、枠消去モードの設定が完了した段階で画面切り換えキー１２６を操作することにより、直接基本画面（Ｅ）に遷移させることも可能である。
【００９７】
次に、図１７は、先に説明した枠消去モードの選択以外に、特別機能の１セット２コピーをさらに選択した場合の表示の遷移を表したものである。
枠消去のアイコン１２１が表示されている基本画面（Ａ）の状態で、操作パネルの特別機能キー６０が再び操作されると、基本画面（Ａ）は特別機能選択画面（Ｂ）に遷移する。当然のことながら、枠消去モードが選択されているのでアイコン１２１は所定の表示位置を保ったままで、また枠消去キー１２０は白黒反転の表示状態となっている。この状態で、特別機能の中から１セット２コピーキー１２７が操作されると、特別機能選択画面（Ｂ）は１セット２コピーキー１２７部分が白黒反転すると共に、枠消去のアイコン１２１の横に１セット２コピーのアイコン１２８が表示される。この状態は、特別機能選択画面（Ｃ）に図示された通りである。
【００９８】
このとき、１セット２コピーモードが選択されても、詳細選択画面が特にないので、キー１２７が白黒反転すると共に、アイコン１２８が所定の領域に表示させるように説明しているが、詳細選択画面が用意してあれば、他の画面の遷移と同様に表示されることは当然のことである。
【００９９】
そして、モードの設定が完了すると、操作者がキー１２６を操作することで、再び基本画面（Ｄ）へと復帰させる。なお、このときも、特別機能選択画面（Ｃ）において、表示されていた枠消去のアイコン１２１と１セット２コピーのアイコン１２８は、基本画面（Ｄ）において基本的に表示位置が変化しないようになっている。
【０１００】
次に、本発明の実施の形態におけるさらなるポイントについて説明する。
これまでの説明において、特別機能が選択されたこと、あるいは設定されていることを表すために、表示部の所定位置に表示されているアイコンを直接押圧すると、基本的にどの画面からでも操作されたアイコンの意味するモードの詳細設定画面を再表示させることができるようになっている。これは、アイコンの意味が分からなくなったとき、または、設定されているモードの変更、取り消しなどを行うために設けられた機能である。
【０１０１】
例えば、図１６の基本画面（Ｅ）、あるいは特別機能選択画面（Ｄ）において、表示画面左上付近に表示されている枠消去のアイコン１２１を押圧すると、表示画面には詳細設定画面（Ｃ）が再び表示される。そして、操作者は現在の設定内容を確認できると共に、その表示画面上で必要に応じて設定の変更を行い、設定の変更が完了した段階で、先に説明したように、後は順次基本画面（Ｅ）に向かって表示画面を遷移させる操作を行うだけである。
【０１０２】
次に、操作パネル上における操作性を考慮したアイコンの表示方法についても図１８〜図１９を用いて説明する。すなわち、選択されたモード、あるいは選択されているモードを表示画面上で操作者に伝えるためのアイコンの表示方法を、例えば表示画面に表示される言語の種類に応じて変化させるようにしている。
【０１０３】
ここで、実際にアイコンの表示方法について説明すると、図１８（Ａ）及び図１９（Ａ）は、日本語による通常の表示画面とする。図１８及び図１９の（Ｂ）（Ｃ）は、英語による表示画面である。（Ｂ）は、複数のモードが選択されている場合に表示される複数のアイコン同士の間隔を、通常より広くしたものである。（Ｃ）は、アイコン自身のサイズを通常より大きくしたものである。このようにアイコンの間隔やサイズを変えることにより、見やすくしたり、操作しやすくしたりする。
【０１０４】
言語の種類から人種を予測し、その人種の体の特徴に合わせて適切なアイコンのサイズ、間隔を設定することにより、例えば指の大きさによって、指定すべきアイコン以外のものを誤って押圧することがないように設定することにより、誤操作を防止する。また、視力が弱い人を対象にする場合には、サイズを大きくして見やすくしたり、間隔を大きくして、他の部分をタッチするという誤操作を防止する。こうして、誰もが操作しやすいシステムとなる。
【０１０５】
また、今回は図示はしないが、限られた表示画面の表示エリアの中において、多彩なモードの中から複数のモードが設定された場合、基本的には一旦表示されたアイコンは表示の位置を変動させない。しかし、場合によってはアイコン同士の表示間隔を、限られた範囲内で通常よりも狭めて表示させることも可能である。こうして、限られた表示エリアにアイコンを多数表示することが可能となる。また、他の方法として、アイコンの表示サイズを、限られた範囲内で小さくして表示させるてもよい。
【０１０６】
さらに、各表示画面において、所定の位置に表示されているアイコンの意味が分からなくなった場合のために、あるいは現在設定されているモードの内容を確認したい場合のために、図２０に示すように、表示画面の左横であって下側に設定確認キー１３１が配置されている。この設定確認キー１３１を操作すると、表示画面上に、実際に表示されているアイコンと、アイコンの意味する機能名称、設定内容などを一覧表示する画面が表示される。
【０１０７】
また、これらアイコンに関する情報を一覧表示する場合、基本画面に表示される外観図１０２の近傍の領域（第１表示領域）に表示される画像編集に関するアイコンと、外観図に重なった領域（第２表示領域）に表示させる用紙に対する処理に関するアイコンとを分けて管理表示させることで、操作する人に対して分かりやすく設定中のモード内容を確認させる構成ともなっている。こうして、モード内容を確認したあとは、アイコンの設定内容を変更も解除もできる。
【０１０８】
【発明の効果】
請求項１の発明によれば、表示装置に表示された操作対象の機器の外観図近傍の領域（第１表示領域）や該外観図と重なる領域（第２表示領域）に操作指示を示すアイコンを表示させるので、どの部分をどのように操作するかが視覚的に捉えられ、操作内容を瞬時に把握でき、操作作業の効率化を図ることができる。
【０１１０】
請求項２の発明によれば、表示画面が切り換えられたとき、表示されているアイコンが表示状態を維持して表示されるので、画面が次々切り替えられても、アイコンが表示され続けるため、表示されている画面までの操作経緯が視覚的に瞬時に把握でき、操作作業の効率化を図ることができる。
【０１１１】
請求項３の発明によれば、アイコン同士の間隔を変更可能にするので、見やすく操作しやすい間隔に設定でき、操作性が向上する。
【０１１２】
請求項４の発明によれば、アイコンの大きさを変更可能とするので、見やすく操作しやすい間隔に設定でき、操作性が向上する。
【０１１３】
請求項５の発明によれば、操作者が指定したアイコンが示す操作指示内容に関連するアイコンについて、その操作指示内容を前記表示装置に一覧表示させるので、指定したアイコンの操作内容がすぐ確認できるとともに、関連アイコンの内容も確認できる。そのため、操作内容がすぐに把握でき操作作業の効率化を図ることができる。
【図面の簡単な説明】
【図１】操作パネルを備えたデジタル複写機の全体構成を示す断面図である。
【図２】デジタル複写機に含まれている画像処理部のブロック図である。
【図３】デジタル複写機の全体ブロック図である。
【図４】デジタル複写機における操作パネルの一例を示す平面図である。
【図５】図４における操作パネルの液晶表示部の拡大図である。
【図６】ＣＰＵが液晶表示部に表示させる動作を示すフローチャートである。
【図７】液晶表示部の外観図を操作した場合の画面遷移図である。
【図８】両面コピーモード設定時の画面遷移図である。
【図９】アウトプットモード設定の画面遷移図である。
【図１０】アウトプットモード設定からデジタル複写機の全体外観図の画面に復帰した画面の説明図である。
【図１１】アウトプットモード設定時の他の画面遷移図である。
【図１２】用紙設定時の画面遷移図である。
【図１３】特別機能選択画面の説明図である。
【図１４】枠消去機能選択時の画面遷移図である。
【図１５】センター消去キー、枠＋センター消去キーを操作した場合の詳細設定画面への画面遷移図である。
【図１６】図１４に続く枠消去機能選択時の画面遷移図である。
【図１７】特別機能の１セット２コピーをさらに選択した場合の画面遷移図である。
【図１８】アイコンの間隔及びサイズの変更を示す画面表示図である。
【図１９】他のアイコンの間隔及びサイズの変更を示す画面表示図である。
【図２０】設定確認キーを押した場合の画面遷移図である。
【符号の説明】
１００  液晶表示部
１０１    タッチパネル
１０２    全体外観図
１０３    本体部分
１０４    後処理装置部分
１０５  給紙装置部分
１０６〜１１０  モードキー
１１２  アイコン
【図１】
0003566048.tif 000002
【図２】
0003566048.tif 000003
【図３】
0003566048.tif 000004
【図４】
0003566048.tif 000005
【図５】
0003566048.tif 000006
【図６】
0003566048.tif 000007
【図７】
0003566048.tif 000008
【図８】
0003566048.tif 000009
【図９】
0003566048.tif 000010
【図１０】
0003566048.tif 000011
【図１１】
0003566048.tif 000012
【図１２】
0003566048.tif 000013
【図１３】
0003566048.tif 000014
【図１４】
0003566048.tif 000015
【図１５】
0003566048.tif 000016
【図１６】
0003566048.tif 000017
【図１７】
0003566048.tif 000018
【図１８】
0003566048.tif 000019
【図１９】
0003566048.tif 000020
【図２０】
0003566048.tif 000021